(57)【要約】      （修正有）【課題】比較的安価な制作費用で、景品把持部が把持する際に、変形や破れ等の破損を防止するクレーン遊技装置用景品箱を提供する。【解決手段】６以上の偶数の矩形面２ａ〜２ｆにより形成された多角柱の胴体部２と、胴体部２の両端における一辺にそれぞれ接続され、両端の開口部を塞ぐ第１の蓋３と、胴体部の両端における一辺と対向する一辺にそれぞれ接続され、両端の開口部を塞ぐ第２の蓋４とを備える。そして、第１の蓋３は、胴体部２の同一の開口部側における第２の蓋４が接続された一辺を形成する矩形面２ｂに重なり合う第１の接合部３ｂを有し、第２の蓋４は、胴体部２の同一の開口部側における第１の蓋３が接続された一辺以外の２辺をそれぞれ形成する矩形面２ｄ，２ｆにそれぞれ重なり合う第２の接合部４ｃ，４ｄを有し、胴体部２は、第２の蓋４が接続された一辺に対して両側に隣り合う２辺にそれぞれ支持部２ｈ，２ｉを有する。【選択図】図４
0003142469.tif 000002
【実用新案登録請求の範囲】
【請求項１】
６以上の偶数の矩形面により形成された多角柱の胴体部と、
前記胴体部の両端における一辺にそれぞれ接続され、前記両端の開口部の少なくとも一部を塞ぐ第１の蓋と、
前記胴体部の両端における前記一辺と対向する一辺にそれぞれ接続され、前記両端の開口部を塞ぐ第２の蓋と、を備え、
前記第１の蓋は、
前記胴体部の同一の前記開口部側における前記第２の蓋が接続された一辺を形成する前記矩形面に重なり合う第１の接合部を有し、
前記第２の蓋は、
前記胴体部の同一の前記開口部側における前記第１の蓋が接続された一辺以外の２辺をそれぞれ形成する前記矩形面にそれぞれ重なり合う第２の接合部を有し、
前記胴体部は、
前記第２の蓋が接続された一辺に対して両側に隣り合う２辺にそれぞれ支持部を有した
ことを特徴とするクレーン遊技装置用景品箱。
【請求項２】
前記第１の蓋は、
前記開口部と略同一の形状を有する多角面と、この多角面に接続された前記第１の接合部とを有する
ことを特徴とする請求項１記載のクレーン遊技装置用景品箱。
【請求項３】
前記第１の蓋は、
矩形の形状を有する矩形面と、この矩形面に接続された前記第１の接合部とを有する
ことを特徴とする請求項１記載のクレーン遊技装置用景品箱。
【請求項４】
前記第２の蓋は、
前記開口部と略同一の形状を有する多角面と、この多角面に接続された前記第２の接合部とを有する
ことを特徴とする請求項１〜３のうちいずれか１項記載のクレーン遊技装置用景品箱。
【請求項５】
前記胴体部は、六角柱であることを特徴とする請求項１〜４のうちいずれか１項記載のクレーン遊技装置用景品箱。
【請求項６】
前記胴体部は、八角柱であることを特徴とする請求項１〜４のうちいずれか１項記載のクレーン遊技装置用景品箱。
【考案の詳細な説明】
【技術分野】
【０００１】
本考案は、クレーン遊技装置内に配置されるクレーン遊技装置用景品箱に関する。
【背景技術】
【０００２】
昨今、ゲームセンター等の遊技施設には、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン機構と、景品収納部内に開口した景品排出口とを備えている。
【０００４】
また、景品収納部の下方には、クレーン遊技装置内部の景品排出口から連通する景品受取口と、操作釦及びコイン投入口とが設けられている。
【０００５】
クレーン機構は景品把持部を吊り下げ支持するとともに前後，左右，及び上下の３方向に移動させる。
【０００６】
このような一般的なクレーン遊技装置において、利用者は、操作部の操作釦を操作することにより獲得しようとする景品に対してクレーン機構を動作させて景品把持部が目標とする景品の真上に到着したと思われるとき操作釦の操作を停止させる。
【０００７】
その後、景品把持部は自動的に降下し、ケース底部に到着すると景品把持部が閉じて降下位置の景品を把持する。
【０００８】
そして、景品把持部は景品を把持したまま上昇して景品排出口の上方に移動した後、景品把持部を開いて景品を景品排出口へ落とす。
【０００９】
このようなクレーン遊技装置においては、景品把持部が把持できる程度の大きさ及び形状に成型された景品箱に菓子等が内包されたものを、景品として上述した景品収納部内に配置される。
【００１０】
この景品箱は、軽量であること、制作が容易であること、表面に印刷がし易いこと、及び制作コストが比較的安いこと等の理由から、例えば厚紙で制作される場合が多い。
【００１１】
しかしながら、単に厚紙により制作された景品箱では、破損してしまうことが多かった。具体的には、景品把持部が把持する際に左右方向に変形したり、景品把持部による上方からの加重により変形したりする場合があった。さらに、景品箱が変形した状態で景品把持部に引っかかり、破れてしまう場合もあった。
【００１２】
一方、特許文献２には、両端部を用紙６枚に重合して包装する組み立て式の包装用箱が提案されている。
【特許文献１】特開２０００−８４２３６号公報
【特許文献２】実開平５−５８６２３号公報
【考案の開示】
【考案が解決しようとする課題】
【００１３】
しかしながら、特許文献２に記載の包装用箱では、単に、箱の両端部が用紙６枚の重合組み立てとしているので、景品把持部が把持する際に破損してしまう場合があった。
【００１４】
また、箱の両端部に用紙６枚を重合させる構成とすると、その分制作費用が増大するという課題があった。
【００１５】
本考案は、上記課題に鑑みてなされたものであり、比較的安価な制作費用で、景品把持部が把持する際に、変形や破れ等の破損し難いクレーン遊技装置用景品箱を提供することを目的とする。
【課題を解決するための手段】
【００１６】
上記目的を達成するため、本考案に係るクレーン遊技装置用景品箱の第１の特徴は、６以上の偶数の矩形面により形成された多角柱の胴体部と、前記胴体部の両端における一辺にそれぞれ接続され、前記両端の開口部の少なくとも一部を塞ぐ第１の蓋と、前記胴体部の両端における前記一辺と対向する一辺にそれぞれ接続され、前記両端の開口部を塞ぐ第２の蓋と、を備え、前記第１の蓋は、前記胴体部の同一の前記開口部側における前記第２の蓋が接続された一辺を形成する前記矩形面に重なり合う第１の接合部を有し、前記第２の蓋は、前記胴体部の同一の前記開口部側における前記第１の蓋が接続された一辺以外の２辺をそれぞれ形成する前記矩形面にそれぞれ重なり合う第２の接合部を有し、前記胴体部は、前記第２の蓋が接続された一辺に対して両側に隣り合う２辺にそれぞれ支持部を有したことにある。
【００１７】
上記目的を達成するため、本考案に係るクレーン遊技装置用景品箱の第２の特徴は、前記第１の蓋は、前記開口部と略同一の形状を有する多角面と、この多角面に接続された前記第１の接合部とを有することにある。
【００１８】
上記目的を達成するため、本考案に係るクレーン遊技装置用景品箱の第３の特徴は、前記第１の蓋は、矩形の形状を有する矩形面と、この矩形面に接続された前記第１の接合部とを有することを特徴とすることにある。
【００１９】
上記目的を達成するため、本考案に係るクレーン遊技装置用景品箱の第４の特徴は、前記第２の蓋は、前記開口部と略同一の形状を有する多角面と、この多角面に接続された前記第２の接合部とを有することにある。
【００２０】
上記目的を達成するため、本考案に係るクレーン遊技装置用景品箱の第５の特徴は、前記胴体部は、六角柱であることにある。
【００２１】
上記目的を達成するため、本考案に係るクレーン遊技装置用景品箱の第６の特徴は、前記胴体部は、八角柱であることにある。
【考案の効果】
【００２２】
本考案に係るクレーン遊技装置用景品箱によれば、比較的安価な制作費用で、景品把持部が把持する際に、変形や破れ等の破損を防止することができる。
【考案を実施するための最良の形態】
【００２３】
以下、本考案を実施するための最良の形態について図面を参照して説明する。
【実施例１】
【００２４】
本考案の実施例１では、クレーン遊技装置に用いられる、六角柱の形状を有し、この六角柱の両端が正六角形の蓋で２重に塞がれたクレーン遊技装置用景品箱を例に挙げて説明する。
【００２５】
図１は、本考案の実施例１であるクレーン遊技装置用景品箱が内部に配置されるクレーン遊技装置の斜視図である。
【００２６】
図１に示すように、クレーン遊技装置１００は、三方を透明板で囲まれた景品収納部１０１と、この景品収納部１０１内に設けられた景品把持部１０２ａ，１０２ｂと、この景品把持部１０２ａ，１０２ｂを景品収納部１０１内で所望位置に移動させるクレーン機構１０３と、景品収納部１０１内の底面に備えられたフロア部１０４とを備えている。
【００２７】
このフロア部１０４は、フロアパネルの組み替え式が採用されており、このフロアパネルを組み替えることで、任意の場所に景品排出口１０４ａ，１０４ｂを備えるようにすることができ、この景品排出口１０４ａ，１０４ｂ以外のフロア部１０４上に景品を配置することができる。ここで、この景品は、景品把持部１０２ａ，１０２ｂが把持できる程度の大きさ及び形状に成型された景品箱に、例えば菓子等が内包されたものである。
【００２８】
景品収納部１０１の下方には、クレーン遊技装置１００内部の景品排出口１０４ａ，１０４ｂからそれぞれ連通する景品受取口１０５ａ，１０５ｂと、操作釦やコイン投入口等を有する操作部１０６とが設けられている。
【００２９】
クレーン機構１０３は、景品把持部１０２ａ，１０２ｂを吊り下げ支持するとともに前後，左右，及び上下の３方向に移動させる。
【００３０】
なお、クレーン遊技装置１００は、図１に示すように、正面に向かって左右対称の構成を有しているので、以下、クレーン遊技装置１００の左側部分について説明する。
【００３１】
クレーン遊技装置１００において、利用者は、操作部１０６の操作釦を操作することにより獲得しようとする景品に対してクレーン機構１０３を動作させて景品把持部１０２ａが目標とする景品の真上に到着したと思われるとき操作釦の操作を停止させる。
【００３２】
その後、景品把持部１０２ａは自動的に降下し、この景品把持部１０２ａがフロア部１０４に達すると景品把持部１０２ａが閉じて降下位置の景品を把持する。
【００３３】
そして、景品把持部１０２ａは景品を把持したまま上昇して景品排出口１０４ａの上方に移動した後、景品把持部１０２ａを開いて景品を景品排出口１０４ａへ落とす。
【００３４】
このようにして、景品排出口１０４ａに落とされた景品は、この景品排出口１０４ａに連通された景品受取口１０５ａから払い出される。
【００３５】
図２は、クレーン遊技装置１００に備えられた景品把持部１０２ａの射視図である。
【００３６】
図２に示すように、景品把持部１０２ａは、キャッチャー１０２ｃと、このキャッチャー１０２ｃに支持されたアーム１０２ｄとを備えている。
【００３７】
景品把持部１０２ａは、このアーム１０２ｄがキャッチャー１０２ｃによって稼働されることにより、アーム１０２ｄの先端部で景品を把持する。
【００３８】
このように、景品把持部１０２ａがアーム１０２ｄにより景品を把持する際に、景品の左右方向から力が加わったり、アーム１０２ｄにより景品の上方から力が加わったりする場合がある。
【００３９】
そのため、クレーン遊技装置１００に用いられる景品を包装する景品箱は、アーム１０２ｄによる左右方向からの加重、及び上方からの加重に対して、変形したり、押しつぶされたり、破れたり等の破損することのない強度が必要となる。
【００４０】
図３は、本考案の実施例１であるクレーン遊技装置用景品箱の射視図である。
【００４１】
図３に示すように、本考案の実施例１であるクレーン遊技装置用景品箱１は、六角柱である胴体部２と、この胴体部２の一方の端部を塞ぐ第１の蓋３と、この第１の蓋３に重なり合う第２の蓋４と、胴体部２の他方の端部を塞ぐ第１の蓋５と、この第１の蓋５に重なり合う第２の蓋６とを備えている。
【００４２】
本考案の実施例１であるクレーン遊技装置用景品箱１は、図３に示した状態、即ち、第１の蓋３，５と、第２の蓋４，６とで胴体部２の両端を塞いた状態で、上述したフロア部１０４に配置される。
【００４３】
そして、クレーン遊技装置用景品箱１は、図３に示すように、アーム１０２ｄによって左右方向からの力ＰＷ１、及び上方からの力ＰＷ２が加わる場合がある。
【００４４】
図４は、胴体部２の一方の端部に備えられた第１の蓋３と第２の蓋４が開かれた状態における本考案の実施例１であるクレーン遊技装置用景品箱１を示した射視図である。
【００４５】
図４に示すように、本考案の実施例１であるクレーン遊技装置用景品箱１は、六角柱の胴体部２と、胴体部２の一方の端部、即ち正六角形の開口部２００を形成する一辺である辺Ａに接続された第１の蓋３と、胴体部２の一方の端部、即ち正六角形の開口部２００を形成する一辺である辺Ｂに接続された第２の蓋４とを備えている。
【００４６】
胴体部２は、六角柱を形成する矩形面２ａ〜２ｆと、第２の蓋が接続された辺Ｂに対して両側に隣り合う２辺にそれぞれ接続された支持部２ｈ，２ｉとを備えている。
【００４７】
第１の蓋３は、正六角面３ａと、接合部３ｂ，３ｃ，３ｄとを備えている。
【００４８】
そして、第１の蓋３は、辺Ａにおいて矩形面２ｅに対して直角に折れ曲がることにより、正六角形の開口部２００の全体を塞ぎ、胴体部２に備えられた支持部２ｈ，２ｉにより支持される。また、その際、接合部３ｂは胴体部２を形成する矩形面２ｂに重なり合い、接合部３ｃは胴体部２を形成する矩形面２ｄに重なり合い、接合部３ｄは胴体部２を形成する矩形面２ｆに重なり合う。
【００４９】
第２の蓋４は、正六角面４ａと、接合部４ｃ，４ｄとを備えている。
【００５０】
そして、第２の蓋４は、辺Ｂにおいて矩形面２ｂに対して直角に折れ曲がることにより、第１の蓋３の全体に重なり合う。また、その際、接合部４ｃは、胴体部２を形成する矩形面２ｄ及び接合部３ｃに重なり合い、接合部４ｄは、胴体部２を形成する矩形面２ｆ及び接合部３ｄに重なり合う。
【００５１】
このように、本考案の実施例１であるクレーン遊技装置用景品箱１は、第１の蓋３と第２の蓋４とが重なり合うことに加え、各接合部が各矩形面に重なり合うことにより、アーム１０２ｄによる左右方向からの加重、及び上方からの加重に対して、変形したり、押しつぶされたり、破れる等の破損することのない強度を有することができる。
【００５２】
なお、開口部２００の胴体部２における他方の開口部も、同様に、第１の蓋及び第２の蓋を備えている。
【００５３】
図５は、本考案の実施例１であるクレーン遊技装置用景品箱１の展開図である。
【００５４】
図５に示すように、本考案の実施例１であるクレーン遊技装置用景品箱１は、胴体部２と、第１の蓋３，５と、第２の蓋４，６とを備え、これらを組み立てることにより形成される。
【００５５】
胴体部２は、折り曲げ線Ｅ〜Ｉを介して連設された６枚の矩形面２ａ〜２ｆと、矩形面２ａ，２ｃの両端に折り曲げ線Ｋ〜Ｎを介してそれぞれ連設された支持部２ｈ〜２ｋと、矩形面２ｆに折り曲げ線Ｊを介して連設された固定部２ｇとを有している。
【００５６】
第１の蓋３は、矩形面２ｅの一方の端部に折り曲げ線Ａを介して連設された正六角面３ａと、この正六角面３ａの折り曲げ線Ａに平行な折り曲げ線Ｏを介して連設された接合部３ｂとを有している。さらに、第１の蓋３は、正六角面３ａの２辺に折り曲げ線Ｑ，Ｒを介してそれぞれ連設された接合部３ｃ，３ｄとを有している。
【００５７】
第１の蓋５は、矩形面２ｅの他方の端部に折り曲げ線Ｃを介して連設された正六角面５ａと、この正六角面５ａの折り曲げ線Ｃに平行な折り曲げ線Ｐを介して連設された接合部５ｂとを有している。さらに、第１の蓋５は、正六角面５ａの２辺に折り曲げ線Ｓ，Ｔを介してそれぞれ連設された接合部５ｃ，５ｄとを有している。
【００５８】
第２の蓋４は、矩形面２ｂの一方の端部に折り曲げ線Ｂを介して連設された正六角面４ａと、この正六角面４ａの２辺に、折り曲げ線Ｕ，Ｖを介してそれぞれ連設された接合部４ｃ，４ｄとを有している。
【００５９】
第２の蓋６は、矩形面２ｂの他方の端部に折り曲げ線Ｄを介して連設された正六角面６ａと、この正六角面６ａの２辺に、折り曲げ線Ｗ，Ｘを介してそれぞれ連設された接合部６ｃ，６ｄとを有している。
【００６０】
クレーン遊技装置用景品箱１を組み立てる際には、まず、胴体部２の矩形面２ａ〜２ｆを六角柱となるように折り曲げ線Ｅ〜Ｊを折り曲げ、固定部２ｇと矩形面２ａとを固定する。
【００６１】
次に、胴体部２の接合部２ｈ〜２ｋをそれぞれ矩形面２ａ，２ｃと直角となるように折り曲げ線Ｋ〜Ｎを折り曲げる。
【００６２】
そして、第１の蓋３の正六角面３ａが胴体部２の開口部を塞ぐように、折り曲げ線Ａを折り曲げ、接合部３ｂ，３ｃ，３ｄをそれぞれ矩形面２ｂ，２ｄ，２ｆに重なり合うように折り曲げ線Ｏ，Ｑ，Ｒを折り曲げる。
【００６３】
さらに、第２の蓋４の正六角面４ａが正六角面３ａに重なり合うように折り曲げ線Ｂを折り曲げ、接合部４ｃ，４ｄをそれぞれ矩形面２ｄ，２ｆに重なり合うように折り曲げ線Ｕ，Ｖを折り曲げる。
【００６４】
胴体部２の他方の端部についても同様に、第１の蓋５の正六角面５ａが胴体部２の開口部を塞ぐように、折り曲げ線Ｃを折り曲げ、接合部５ｂ，５ｃ，５ｄをそれぞれ矩形面２ｂ，２ｄ，２ｆに重なり合うように折り曲げ線Ｐ，Ｓ，Ｔを折り曲げる。
【００６５】
さらに、第２の蓋６の正六角面６ａが正六角面５ａに重なり合うように折り曲げ線Ｄを折り曲げ、接合部６ｃ，６ｄをそれぞれ矩形面２ｄ，２ｆに重なり合うように折り曲げ線Ｗ，Ｘを折り曲げる。
【００６６】
このように、図５に示した展開図を用いて、容易に本考案の実施例１であるクレーン遊技装置用景品箱１を組み立てることができる。
【００６７】
そして、組み立てられた本考案の実施例１であるクレーン遊技装置用景品箱１は、胴体部２の両端に第１の蓋３，５及び第２の蓋４，６を備え、さらに、これら第１の蓋３，５及び第２の蓋４，６を支持する支持部２ｈ〜２ｋと、各矩形面と重なり合う各接合部とを備える構成であるので、景品把持部１０２のアーム１０２ｄによる左右方向からの力、及び上方からの力が加わった場合においても、変形したり、押しつぶされたり、破れることのない強度を有することができる。
【００６８】
さらに、本考案の実施例１であるクレーン遊技装置用景品箱１は、胴体部２の互いに向かい合う矩形面において、少なくとも一方は、接合部が重なり合っている。例えば、互いに対向する矩形面２ａ及び矩形面２ｄのうち、矩形面２ｄには接合部３ｃと接合部４ｃとが重なり合い、互いに対向する矩形面２ｂ及び矩形面２ｅのうち、矩形面２ｂには接合部３ｂが重なり合い、互いに対向する矩形面２ｃ及び矩形面２ｆのうち、矩形面２ｆには接合部３ｄと接合部４ｄとが重なり合っている。
【００６９】
これにより、本考案の実施例１であるクレーン遊技装置用景品箱１は、六角柱の全周においてバランスよく強度を有することができる。
【実施例２】
【００７０】
本考案の実施例１では、クレーン遊技装置に用いられる、六角柱の形状を有し、この六角柱の両端が正六角形の蓋で２重に塞がれたクレーン遊技装置用景品箱１を例に挙げて説明した。
【００７１】
本考案の実施例２では、クレーン遊技装置に用いられる、六角柱の形状を有し、この六角柱の両端が矩形の蓋と六角形の蓋で塞がれたクレーン遊技装置用景品箱を例に挙げて説明する。
【００７２】
図６は、本考案の実施例２であるクレーン遊技装置用景品箱１０を示した射視図である。
【００７３】
図６に示すように、本考案の実施例２であるクレーン遊技装置用景品箱１０は、六角柱の胴体部２と、胴体部２の一方の端部、即ち正六角形の開口部２００を形成する一辺である辺Ａに接続された第３の蓋７と、胴体部２の一方の端部、即ち正六角形の開口部２００を形成する一辺である辺Ｂに接続された第２の蓋４とを備えている。
【００７４】
ここで、本考案の実施例２であるクレーン遊技装置用景品箱１０が備える構成のうち、胴体部２と、第２の蓋４，６とはそれぞれ本考案の実施例１であるクレーン遊技装置用景品箱１が備えるそれぞれ同一符号が付された構成と同一であるので、説明を省略する。
【００７５】
第３の蓋７は、正六角面７ａと、接合部７ｂ，７ｃ，７ｄとを備えている。
【００７６】
そして、第３の蓋７は、辺Ａにおいて矩形面２ｅに対して直角に折れ曲がることにより、正六角形の開口部２００の一部を塞ぎ、胴体部２に備えられた支持部２ｈ，２ｉにより支持される。また、その際、接合部７ｂは胴体部２を形成する矩形面２ｂに重なり合う。
【００７７】
このように、本考案の実施例２であるクレーン遊技装置用景品箱１０は、第３の蓋７と第２の蓋４とが重なり合うことに加え、各接合部が各矩形面に重なり合うことにより、アーム１０２ｄによる左右方向からの加重、及び上方からの加重に対して、変形したり、押しつぶされたり、破れる等の破損することのない強度を有することができる。
【００７８】
なお、開口部２００の胴体部２における他方の開口部も、同様に、第３の蓋及び第２の蓋を備えている。
【００７９】
図７は、本考案の実施例２であるクレーン遊技装置用景品箱１０の展開図である。
【００８０】
図７に示すように、本考案の実施例２であるクレーン遊技装置用景品箱１０は、胴体部２と、第３の蓋７，８と、第２の蓋４，６とを備え、これらを組み立てることにより形成される。
【００８１】
ここで、本考案の実施例２であるクレーン遊技装置用景品箱１０が備える構成のうち、胴体部２と、第２の蓋４，６とはそれぞれ本考案の実施例１であるクレーン遊技装置用景品箱１が備えるそれぞれ同一符号が付された構成と同一であるので、説明を省略する。
【００８２】
第３の蓋７は、矩形面２ｅの一方の端部に折り曲げ線Ａを介して連設された矩形面７ａと、この矩形面７ａの折り曲げ線Ａに平行な折り曲げ線Ｏを介して連設された接合部７ｂとを有している。
【００８３】
第３の蓋８は、矩形面２ｅの他方の端部に折り曲げ線Ｃを介して連設された矩形面８ａと、この矩形面８ａの折り曲げ線Ｃに平行な折り曲げ線Ｐを介して連設された接合部８ｂとを有している。
【００８４】
そして、クレーン遊技装置用景品箱１０を組み立てる際には、まず、胴体部２の矩形面２ａ〜２ｆを六角柱となるように折り曲げ線Ｅ〜Ｊを折り曲げ、固定部２ｇと矩形面２ａとを固定する。
【００８５】
次に、胴体部２の接合部２ｈ〜２ｋをそれぞれ矩形面２ａ，２ｃと直角となるように折り曲げ線Ｋ〜Ｎを六角柱の内側に折り曲げる。
【００８６】
そして、第３の蓋７の矩形面７ａが胴体部２の開口部を塞ぐように、折り曲げ線Ａを折り曲げ、接合部７ｂを矩形面２ｂに重なり合うように折り曲げ線Ｏを折り曲げる。
【００８７】
さらに、第２の蓋４の正六角面４ａが矩形面７ａに重なり合うように折り曲げ線Ｂを折り曲げ、接合部４ｃ，４ｄをそれぞれ矩形面２ｄ，２ｆに重なり合うように折り曲げ線Ｕ，Ｖを折り曲げる。
【００８８】
胴体部２の他方の端部についても同様に、第３の蓋８の矩形面８ａが胴体部２の開口部を塞ぐように、折り曲げ線Ｃを折り曲げ、接合部８ｂをそれぞれ矩形面２ｂに重なり合うように折り曲げ線Ｐを折り曲げる。
【００８９】
さらに、第２の蓋６の正六角面６ａが矩形面８ａに重なり合うように折り曲げ線Ｄを折り曲げ、接合部６ｃ，６ｄをそれぞれ矩形面２ｄ，２ｆに重なり合うように折り曲げ線Ｗ，Ｘを折り曲げる。
【００９０】
このように、図７に示した展開図を用いて、容易に本考案の実施例２であるクレーン遊技装置用景品箱１０を組み立てることができる。
【００９１】
そして、組み立てられた本考案の実施例２であるクレーン遊技装置用景品箱１０は、胴体部２の両端に第３の蓋７，８及び第２の蓋４，６を備え、さらに、これら第３の蓋７，８及び第２の蓋４，６を支持する支持部２ｈ〜２ｋと、各矩形面と重なり合う各接合部とを備える構成であるので、景品把持部１０２のアーム１０２ｄによる左右方向からの力、及び上方からの力が加わった場合においても、変形したり、押しつぶされたり、破れることのない強度を有することができる。
【００９２】
さらに、本考案の実施例２であるクレーン遊技装置用景品箱１０は、胴体部２の互いに向かい合う矩形面において、少なくとも一方は、接合部が重なり合っている。例えば、互いに対向する矩形面２ａ及び矩形面２ｄのうち、矩形面２ｄには接合部４ｃが重なり合い、互いに対向する矩形面２ｂ及び矩形面２ｅのうち、矩形面２ｂには接合部７ｂが重なり合い、互いに対向する矩形面２ｃ及び矩形面２ｆのうち、矩形面２ｆには接合部４ｄが重なり合っている。
【００９３】
これにより、本考案の実施例２であるクレーン遊技装置用景品箱１０は、六角柱の全周においてバランスよく強度を有することができる。
【００９４】
さらに、本考案の実施例２であるクレーン遊技装置用景品箱１０によれば、胴体部２の両端に、矩形の第３の蓋７，８を備える構成であるので、材料費を低減することで、より制作費用を低減することができる。
【実施例３】
【００９５】
本考案の実施例１では、クレーン遊技装置１００に用いられる、六角柱の形状を有し、この六角柱の両端が正六角形の蓋で２重に塞がれたクレーン遊技装置用景品箱１を例に挙げて説明した。
【００９６】
本考案の実施例３では、クレーン遊技装置１００に用いられる、八角柱の形状を有し、この八角柱の両端が正八角形の蓋で２重に塞がれたクレーン遊技装置用景品箱を例に挙げて説明する。
【００９７】
図８は、本考案の実施例３であるクレーン遊技装置用景品箱の射視図である。
【００９８】
図８に示すように、本考案の実施例３であるクレーン遊技装置用景品箱２０は、八角柱である胴体部１２と、この胴体部１２の一方の端部を塞ぐ第５の蓋１３と、この第５の蓋１３に重なり合う第６の蓋１４と、胴体部１２の他方の端部を塞ぐ第５の蓋１５と、この第５の蓋１５に重なり合う第６の蓋１６とを備えている。
【００９９】
本考案の実施例３であるクレーン遊技装置用景品箱２０は、図８に示した状態、即ち、第５の蓋１３，１５と、第６の蓋１４，１６とで胴体部１２の両端を塞いた状態で、上述したフロア部１０４に配置される。
【０１００】
そして、クレーン遊技装置用景品箱１は、図８に示すように、アーム１０２ｄによって左右方向からの力ＰＷ１、及び上方からの力ＰＷ２が加わる場合がある。
【０１０１】
図９は、胴体部１２の一方の端部に備えられた第５の蓋１３と第６の蓋１４が開かれた状態における本考案の実施例３であるクレーン遊技装置用景品箱２０を示した射視図である。
【０１０２】
図９に示すように、本考案の実施例３であるクレーン遊技装置用景品箱２０は、八角柱の胴体部１２と、胴体部１２の一方の端部、即ち正八角形の開口部２００を形成する一辺である辺Ａに接続された第５の蓋１３と、胴体部１２の一方の端部、即ち正八角形の開口部２００を形成する一辺である辺Ｂに接続された第６の蓋１４とを備えている。
【０１０３】
胴体部１２は、八角柱を形成する矩形面１２ａ〜１２ｈと、第５の蓋１３が接続された辺Ａに対して両側に隣り合う２辺にそれぞれ接続された支持部１２ｌ，１２ｍと、第６の蓋１４が接続された辺Ｂに対して両側に隣り合う２辺にそれぞれ接続された支持部１２ｊ，１２ｋとを備えている。
【０１０４】
第５の蓋１３は、正八角面１３ａと、接合部１３ｂ，１３ｃ，１２ｄとを備えている。
【０１０５】
そして、第５の蓋１３は、辺Ａにおいて矩形面１２ｆに対して直角に折れ曲がることにより、正八角形の開口部３００の全体を塞ぎ、胴体部１２に備えられた支持部１２ｊ，１２ｋ，１２ｌ，１２ｍにより支持される。また、その際、接合部１３ｂは胴体部１２を形成する矩形面１２ｂに重なり合い、接合部１３ｃは胴体部１２を形成する矩形面１２ｄに重なり合い、接合部１３ｄは胴体部１２を形成する矩形面１２ｈに重なり合う。
【０１０６】
第６の蓋１４は、正八角面１４ａと、接合部１４ｃ，１４ｄとを備えている。
【０１０７】
そして、第６の蓋１４は、辺Ｂにおいて矩形面１２ｂに対して直角に折れ曲がることにより、第５の蓋１３の全体に重なり合う。また、その際、接合部１４ｃは、胴体部１２を形成する矩形面１２ｈ及び接合部１３ｄに重なり合い、接合部１４ｄは、胴体部１２を形成する矩形面１２ｄ及び接合部１３ｃに重なり合う。
【０１０８】
このように、本考案の実施例３であるクレーン遊技装置用景品箱２０は、第５の蓋１３と第６の蓋１４とが重なり合うことに加え、各接合部が各矩形面に重なり合うことにより、アーム１０２ｄによる左右方向からの加重、及び上方からの加重に対して、変形したり、押しつぶされたり、破れる等の破損することのない強度を有することができる。
【０１０９】
なお、開口部２００の胴体部１２における他方の開口部も、同様に、第５の蓋及び第６の蓋を備えている。
【０１１０】
図１０は、本考案の実施例３であるクレーン遊技装置用景品箱２０の展開図である。
【０１１１】
図１０に示すように、本考案の実施例３であるクレーン遊技装置用景品箱２０は、胴体部１２と、第５の蓋１３，１５と、第６の蓋１４，１６とを備え、これらを組み立てることにより形成される。
【０１１２】
胴体部１２は、折り曲げ線Ｅ〜Ｋを介して連設された８枚の矩形面１２ａ〜１２ｈと、矩形面１２ａ，１２ｃ，１２ｅ，１２ｇの両端に折り曲げ線Ｍ〜Ｔを介してそれぞれ連設された支持部１２ｊ〜１２ｎ，１２ｐ〜１２ｒと、矩形面１２ｈに折り曲げ線Ｌを介して連設された固定部１２ｉとを有している。
【０１１３】
第５の蓋１３は、矩形面１２ｆの一方の端部に折り曲げ線Ａを介して連設された正八角面１３ａと、この正八角面１３ａの折り曲げ線Ａに平行な折り曲げ線Ｕを介して連設された接合部１３ｂとを有している。さらに、第５の蓋１３は、正八角面１３ａの２辺に折り曲げ線Ｖ，Ｗを介してそれぞれ連設された接合部１３ｃ，１３ｄとを有している。
【０１１４】
第５の蓋１５は、矩形面１２ｆの他方の端部に折り曲げ線Ｃを介して連設された正八角面１５ａと、この正八角面１５ａの折り曲げ線Ｃに平行な折り曲げ線Ｘを介して連設された接合部１５ｂとを有している。さらに、第５の蓋１５は、正八角面１５ａの２辺に折り曲げ線Ｙ，Ｚを介してそれぞれ連設された接合部１５ｃ，１５ｄとを有している。
【０１１５】
第６の蓋１４は、矩形面１２ｂの一方の端部に折り曲げ線Ｂを介して連設された正八角面１４ａと、この正八角面１４ａの他の辺に、折り曲げ線ＡＡ，ＡＢを介してそれぞれ連設された接合部１４ｃ，１４ｄとを有している。
【０１１６】
第６の蓋１６は、矩形面１２ｂの他方の端部に折り曲げ線Ｄを介して連設された正八角面１６ａと、この正八角面１６ａの他の辺に、折り曲げ線ＡＣ，ＡＤを介してそれぞれ連設された接合部１６ｃ，１６ｄとを有している。
【０１１７】
クレーン遊技装置用景品箱２０を組み立てる際には、まず、胴体部１２の矩形面１２ａ〜１２ｈを八角柱となるように折り曲げ線Ｅ〜Ｌを折り曲げ、固定部１２ｉと矩形面１２ａとを固定する。
【０１１８】
次に、胴体部１２の支持部１２ｊ〜１２ｎ，１２ｐ〜１２ｒをそれぞれ矩形面１２ａ，２ｃ，１２ｅ，１２ｇと直角となるように折り曲げ線Ｍ〜Ｔを八角柱の内側に折り曲げる。
【０１１９】
そして、第５の蓋１３の正八角面１３ａが胴体部１２の開口部を塞ぐように、折り曲げ線Ａを折り曲げ、接合部１３ｂ，１３ｃ，１３ｄをそれぞれ矩形面１２ｂ，１２ｄ，１２ｈに重なり合うように折り曲げ線Ｕ，Ｖ，Ｗを折り曲げる。
【０１２０】
さらに、第６の蓋１４の正八角面１４ａが正八角面１３ａに重なり合うように折り曲げ線Ｂを折り曲げ、接合部１４ｃ，１４ｄをそれぞれ矩形面１２ｈ，１２ｄに重なり合うように折り曲げ線ＡＡ，ＡＢを折り曲げる。
【０１２１】
胴体部１２の他方の端部についても同様に、第５の蓋１５の正八角面１５ａが胴体部１２の開口部を塞ぐように、折り曲げ線Ｃを折り曲げ、接合部１５ｂ，１５ｃ，１５ｄをそれぞれ矩形面１２ｂ，１２ｄ，１２ｈに重なり合うように折り曲げ線Ｘ，Ｙ，Ｚを折り曲げる。
【０１２２】
さらに、第６の蓋１６の正八角面１６ａが正八角面１５ａに重なり合うように折り曲げ線Ｄを折り曲げ、接合部１６ｃ，１６ｄをそれぞれ矩形面１２ｈ，１２ｄに重なり合うように折り曲げ線ＡＣ，ＡＤを折り曲げる。
【０１２３】
このように、図１０に示した展開図を用いて、容易に本考案の実施例３であるクレーン遊技装置用景品箱２０を組み立てることができる。
【０１２４】
そして、組み立てられた本考案の実施例３であるクレーン遊技装置用景品箱２０は、胴体部１２の両端に第５の蓋１３，１５及び第６の蓋１４，１６を備え、さらに、これら第５の蓋１３，１５及び第６の蓋１４，１６を支持する支持部１２ｊ〜１２ｎ，１２ｐ〜１２ｒと、各矩形面と重なり合う各接合部とを備える構成であるので、景品把持部１０２のアーム１０２ｄによる左右方向からの力、及び上方からの力が加わった場合においても、変形したり、押しつぶされたり、破れることのない強度を有することができる。
【実施例４】
【０１２５】
本考案の実施例３では、クレーン遊技装置１００に用いられる、八角柱の形状を有し、この八角柱の両端が正八角形の蓋で２重に塞がれたクレーン遊技装置用景品箱２０を例に挙げて説明した。
【０１２６】
本考案の実施例４では、本考案の実施例３であるクレーン遊技装置用景品箱２０に対して、支持部及び接合部の位置を変更したクレーン遊技装置用景品箱を例に挙げて説明する。
【０１２７】
図１１は、本考案の実施例４であるクレーン遊技装置用景品箱３０を示した射視図である。
【０１２８】
図１１に示すように、本考案の実施例４であるクレーン遊技装置用景品箱３０は、八角柱の胴体部１９と、胴体部１９の一方の端部、即ち正八角形の開口部３００の一辺である辺Ａに接続された第５の蓋１３と、胴体部１９の一方の端部、即ち正八角形の開口部３００を形成する一辺である辺Ｂに接続された第７の蓋１７とを備えている。
【０１２９】
ここで、本考案の実施例４であるクレーン遊技装置用景品箱３０が備える構成のうち、第５の蓋１３，１５はそれぞれ本考案の実施例３であるクレーン遊技装置用景品箱２０が備えるそれぞれ同一符号が付された構成と同一であるので、説明を省略する。
【０１３０】
胴体部１９は、八角柱を形成する矩形面１９ａ〜１９ｈと、第７の蓋１７が接続された辺Ｂに対して両側に隣り合う２辺にそれぞれ接続された支持部１９ｊ，１９ｋとを備えている。
【０１３１】
第７の蓋１７は、正八角面１７ａと、接合部１７ｅ，１７ｆとを備えている。
【０１３２】
そして、第７の蓋１７は、辺Ｂにおいて矩形面１９ｂに対して直角に折れ曲がることにより、第５の蓋１３の全体に重なり合う。また、その際、接合部１７ｅは、胴体部１９を形成する矩形面１９ｇに重なり合い、接合部１７ｆは、胴体部１９を形成する矩形面１９ｅに重なり合う。
【０１３３】
このように、本考案の実施例４であるクレーン遊技装置用景品箱３０は、第５の蓋１３と第７の蓋１７とが重なり合うことに加え、各接合部が各矩形面に重なり合うことにより、アーム１０２ｄによる左右方向からの加重、及び上方からの加重に対して、変形したり、押しつぶされたり、破れる等の破損することのない強度を有することができる。
【０１３４】
なお、開口部３００の胴体部１９における他方の開口部も、同様に、第５の蓋及び第７の蓋を備えている。
【０１３５】
さらに、本考案の実施例４であるクレーン遊技装置用景品箱３０は、胴体部１９の互いに向かい合う矩形面において、少なくとも一方は、接合部が重なり合っている。例えば、互いに対向する矩形面１９ａ及び矩形面１９ｅのうち、矩形面１９ｅには接合部１７ｆが重なり合い、互いに対向する矩形面１９ｂ及び矩形面１９ｆのうち、矩形面１９ｂには接合部１３ｂが重なり合い、互いに対向する矩形面１９ｃ及び矩形面１９ｇのうち、矩形面１９ｇには接合部１７ｅが重なり合い、互いに対向する矩形面１９ｄ及び矩形面１９ｈにはそれぞれ接合部１３ｃ及び接合部１３ｄが重なり合う。
【０１３６】
これにより、本考案の実施例４であるクレーン遊技装置用景品箱３０は、八角柱の全周においてバランスよく強度を有することができる。
【図面の簡単な説明】
【０１３７】
【図１】本考案の実施例１であるクレーン遊技装置用景品箱が内部に配置されるクレーン遊技装置の斜視図である。
【図２】クレーン遊技装置に備えられた景品把持部の射視図である。
【図３】本考案の実施例１であるクレーン遊技装置用景品箱の射視図である。
【図４】胴体部の一方の端部に備えられた第１の蓋と第２の蓋が開かれた状態における本考案の実施例１であるクレーン遊技装置用景品箱を示した射視図である。
【図５】本考案の実施例１であるクレーン遊技装置用景品箱の展開図である。
【図６】本考案の実施例２であるクレーン遊技装置用景品箱を示した射視図である。
【図７】本考案の実施例２であるクレーン遊技装置用景品箱の展開図である。
【図８】本考案の実施例３であるクレーン遊技装置用景品箱の射視図である。
【図９】胴体部の一方の端部に備えられた第５の蓋と第６の蓋が開かれた状態における本考案の実施例３であるクレーン遊技装置用景品箱を示した射視図である。
【図１０】本考案の実施例３であるクレーン遊技装置用景品箱の展開図である。
【図１１】本考案の実施例４であるクレーン遊技装置用景品箱を示した射視図である。
【符号の説明】
【０１３８】
１，１０，２０，３０…クレーン遊技装置用景品箱
２，１２，１９…胴体部
３，５…第１の蓋
４，６…第２の蓋
７，８…第３の蓋
１３，１５…第５の蓋
１４，１６…第６の蓋
１７…第７の蓋
１００…クレーン遊技装置
１０１…景品収納部
１０２ａ，１０２ｂ…景品把持部
１０３…クレーン機構
１０４…フロア部
１０４ａ，１０４ｂ…景品排出口
１０５ａ，１０５ｂ…景品受取口
【図１】
0003142469.tif 000003
【図２】
0003142469.tif 000004
【図３】
0003142469.tif 000005
【図４】
0003142469.tif 000006
【図５】
0003142469.tif 000007
【図６】
0003142469.tif 000008
【図７】
0003142469.tif 000009
【図８】
0003142469.tif 000010
【図９】
0003142469.tif 000011
【図１０】
0003142469.tif 000012
【図１１】
0003142469.tif 000013